(57)【特許請求の範囲】
【請求項１】
パチンコ機の裏側の台板にソレノイドを取り付けるための取付構造であって、
前記ソレノイドに台板当接部が突設されており、
その台板当接部の表面を前記台板に当着することにより、ソレノイドを台板の第１の位置に取り付けることが可能であるとともに、前記台板当接部の裏面を前記台板に当着することにより、ソレノイドを台板の第２の位置に取り付けることが可能であることを特徴とするソレノイドの取付構造。
【請求項２】
パチンコ機の裏側の台板にソレノイドを取り付けるための取付構造であって、
前記台板に第１の固着機構と第２の固着機構とが互いに線対称に設けられているとともに、前記ソレノイドに台板当接部が突設されており、
前記第１の固着機構を利用して前記台板当接部の表面を前記台板に当着することにより、ソレノイドを台板の第１の位置に取り付けることが可能であり、かつ、
前記第２の固着機構を利用して前記台板当接部の裏面を前記台板に当着することにより、ソレノイドを台板の第２の位置に取り付けることが可能であることを特徴とするソレノイドの取付構造。
【請求項３】
パチンコ機の裏側の台板にソレノイドを取り付けるための取付構造であって、
前記台板に第１位置決めピンおよび第１ネジ孔とが別々にあるいは一体的に設けられ、その第１位置決めピンおよび第１ネジ孔と線対称に第２位置決めピンおよび第２ネジ孔が別々にあるいは一体的に設られているとともに、前記ソレノイドに台板当接部が突設され、その台板当接部に、前記第１位置決めピンおよび前記第１ネジ孔の配置と同一に、位置決めピン用孔とネジ孔とが別々にあるいは一体的に設けられており、
前記位置決めピン用孔に前記第１位置決めピンを挿通させた状態で台板当接部のネジ孔と第１ネジ孔とを螺着して、前記台板当接部の表面を前記台板に当着することにより、前記ソレノイドを台板の第１の位置に取り付けることが可能であり、かつ、
前記位置決めピン用孔に前記第２位置決めピンを挿通させた状態で台板当接部のネジ孔と第２ネジ孔とを螺着して、前記台板当接部の裏面を前記台板に当着することにより、ソレノイドを台板の第２の位置に取り付けることが可能であることを特徴とするソレノイドの取付構造。
【請求項４】
前記ソレノイドが、コイルに周設された外装体の平坦部分に、前記台板当接部および外装体当接部を有する取付体を当着したものであることを特徴とする請求項１、２または３に記載のソレノイドの取付構造。
【発明の詳細な説明】
【０００１】
【発明の属する技術分野】
本発明は、パチンコ機の付属部品に関し、詳しくは、入賞装置の扉の開閉用途等のソレノイドをパチンコ機の裏側の台板に取り付けるための取付構造に関するものである。
【０００２】
【従来の技術】
パチンコ機の遊技盤面に設置される入賞装置（たとえば大入賞口等）の扉の開閉用途等には、ソレノイドが利用されることが多い。かかるソレノイドは、入賞装置の内部に一体的に組み込まれることもあるが、別々に形成されることもあり、かかる場合には、パチンコ機の裏側の台板（以下、台板という）に取り付けられる。図８は、ソレノイドを台板に取り付けるための従来の取付構造を示したものであり、（ａ）は、正面から見た状態（パチンコ機の裏側から見た状態）を示しており、（ｂ）は、下方から見た状態を示している。外装板３２によって上下左右が覆われ取付体３３が左側面に付設されたソレノイド３１は、取付体３３の台板当接部３５の裏面を台板３６のソレノイド取付部位３７に当着することによって、いわば片持ち式に台板３６に固着されている。かかる状態で取り付けられたソレノイド３１は、たとえば大当たりとなった場合に通電され、電磁誘導によって芯部材３８および下端の作動部材３９が上昇し、その作動部材３９と係合している入賞装置の係合部材（図示せず）を連動させて、遊技盤面に設置された所定の入賞装置の扉を開成させるようになっている。
【０００３】
【発明が解決しようとする課題】
しかしながら、上記従来のソレノイドの取付構造は、ソレノイドを一か所でしか固定できないため、設計変更により遊技盤面に設置される入賞装置の種類が変わって扉の大きさが変化した場合には、ソレノイド３１の芯部材３８の下端に付設された作動部材３９の位置が入賞装置の係合部材の位置と合致しなくなるので、台板をそのまま使用することができず、台板の設計変更をもせざるを得なかった。すなわち、従来の取付構造では、設計変更により遊技盤面の入賞装置の種類が変わって扉の大きさが変化する度に、台板を取り替えたり、作り変えたりしなければならなかった。
【０００４】
本発明の目的は、上記従来の取付構造が有する課題を解消し、設計変更によって遊技盤面に設置される入賞装置の種類が変わって扉の大きさが変化した場合であっても台板をそのまま継続使用することが可能なソレノイドの取付構造を提供することにある。
【０００５】
【課題を解決するための手段】
かかる本発明の内、第１の発明の構成は、パチンコ機の裏側の台板にソレノイドを取り付けるための取付構造であって、前記ソレノイドに台板当接部が突設されており、その台板当接部の表面を前記台板に当着することにより、ソレノイドを台板の第１の位置に取り付けることが可能であるとともに、前記台板当接部の裏面を前記台板に当着することにより、ソレノイドを台板の第２の位置に取り付けることが可能であることにある。
【０００６】
第２の発明の構成は、パチンコ機の裏側の台板にソレノイドを取り付けるための取付構造であって、前記台板に第１の固着機構と第２の固着機構とが互いに線対称に設けられているとともに、前記ソレノイドに台板当接部が突設されており、前記第１の固着機構を利用して前記台板当接部の表面を前記台板に当着することにより、ソレノイドを台板の第１の位置に取り付けることが可能であり、かつ、前記第２の固着機構を利用して前記台板当接部の裏面を前記台板に当着することにより、ソレノイドを台板の第２の位置に取り付けることが可能であることにある。
【０００７】
第３の発明の構成は、パチンコ機の裏側の台板にソレノイドを取り付けるための取付構造であって、前記台板に第１位置決めピンおよび第１ネジ孔とが別々にあるいは一体的に設けられ、その第１位置決めピンおよび第１ネジ孔と線対称に第２位置決めピンおよび第２ネジ孔が別々にあるいは一体的に設られているとともに、前記ソレノイドに台板当接部が突設され、その台板当接部に、前記第１位置決めピンおよび前記第１ネジ孔の配置と同一に、位置決めピン用孔とネジ孔とが別々にあるいは一体的に設けられており、前記位置決めピン用孔に前記第１位置決めピンを挿通させた状態で台板当接部のネジ孔と第１ネジ孔とを螺着して、前記台板当接部の表面を前記台板に当着することにより、前記ソレノイドを台板の第１の位置に取り付けることが可能であり、かつ、前記位置決めピン用孔に前記第２位置決めピンを挿通させた状態で台板当接部のネジ孔と第２ネジ孔とを螺着して、前記台板当接部の裏面を前記台板に当着することにより、ソレノイドを台板の第２の位置に取り付けることが可能であることにある。
【０００８】
第４の発明の構成は、第１の発明、第２の発明、または第３の発明において、前記ソレノイドが、コイルに周設された外装体の平坦部分に、前記台板当接部および外装体当接部を有する取付体を当着したものであることにある。
【０００９】
【発明の実施の形態】
以下、本発明のソレノイドの取付構造の一実施形態を図面に基いて詳細に説明する。図１は、入賞装置の扉を開閉するためのソレノイドを分解して示したものである。ソレノイド１は、筒状のコイル２、磁性を帯びた棒状体からなる芯部材３、コイル２の上下および左右を長方形状に覆うように周設された外装板４、金属板が折り曲げ形成された取付体８等から構成されている。
【００１０】
外装板４は、両側面にネジ孔５，５・・が穿設されており、底面に芯挿通孔６が穿設されている。また、芯部材３の片端には、合成樹脂製の作動部材７が固着されている。一方、取付体８は、長方形状の台板当接部９と帯状の外装板当接部１０とが直交した形状になっており、外装板当接部１０の長手方向の端部の内、台板当接部９と隣接していない方の端部は、台板当接部９と反対方向に折り曲げられて脱落防止部１１を形成している。さらに、台板当接部９、および外装板当接部１０には、それぞれ２個ずつのネジ挿通孔１７，１７・・が穿設されており、台板当接部９のネジ挿通孔１７，１７と隣接した部分には、ピン挿通孔１８，１８が穿設されている。
【００１１】
そして、ソレノイド１は、外装板４の底面の芯挿通孔６にコイル状のバネ部材２３を介在させて芯部材３を挿入し、その芯部材３の片端の作動部材７の底面と取付体８の脱落防止部１１の片側面とを当接させた状態で、外装板４のネジ孔５，５と取付体８の外装板当接部１０のネジ挿通孔１７，１７との利用により、取付体８外装板当接部１０の外面が外装板４の片側面に螺着されて組み立てられている。
【００１２】
ソレノイド１は、上記の如く組み立てられているため、芯部材３がコイル２内を挿通自在になっているとともに、芯部材３の片端の作動部材７が脱落防止部１１によって外側から支持されて、芯部材３がコイル２内から脱落しないようになっている。そして、作動部材７の底面は、バネ部材２３によって脱落防止部１１の片側面と当接するように付勢されている。また、台板当接部９は、外装板４の片方の側面から側方に突出した状態になっている。
【００１３】
一方、図２は、パチンコ機の裏側の台板の一部を示したものであり、（ａ）、（ｂ）は、それぞれ、台板を正面から見た状態（パチンコ機の裏側から見た状態）、下方から見た状態を示している。合成樹脂によって形成された台板１２の下方には、略長方形状の部分が周囲より薄肉に形成されたソレノイド取付部位１３が設けられている。そのソレノイド取付部位１３の右側、および左側には、それぞれボス１４ａ，１４ａ，１４ｂ，１４ｂが台板１２から突出するように設けられている。各ボス１４ａ，１４ｂ・・にはネジ孔１５，１５・・が穿設されており、それらのネジ孔１５，１５・・には、ネジ溝が螺刻されている。また、各ボス１４ａ，１４ｂ・・は、連結部２５，２５によって互いに連なり合った形状となっており、各ボス１４ａ，１４ｂ・・の隣には、位置決めピン１６，１６・・が突出するように連設されている。なお、各ボス１４ａ，１４ｂ・・、および各位置決めピン１６，１６・・の配置は、ソレノイド取付部位１３の中心線（図２中のＡ−Ａ線）に対して線対称になっている。さらに、ソレノイド取付部位１３の右サイドのボス１４ａ，１４ａは、左サイドのボス１４ｂ，１４ｂの高さより、外装板当接部１０の幅と略同一な長さ分だけ高く突設されている（図２中のＢ）。
【００１４】
かかる台板１２のソレノイド取付部位１３にソレノイド１を取り付ける場合には、取付体８の台板当接部９のピン挿通孔１８，１８に台板１２の位置決めピン１６，１６を挿通させ、取付体８の台板当接部９の表面をボス１４ａ，１４ａおよび連結部２５に当接させた状態で、台板当接部９のネジ挿通孔１７，１７と台板１２のボス１４ａ，１４ａのネジ孔１５，１５とを利用して、取付体８の台板当接部９を台板１２に螺着する。ソレノイド１が取り付けられた台板１２の様子を図３に示す（なお、（ａ）、（ｂ）は、それぞれ、台板１２を正面から見た状態（パチンコ機の裏側から見た状態）、下方から見た状態を示している）。
【００１５】
さらに、図４は、台板１２をパチンコ機の裏側に設置した場合におけるソレノイド１と遊技盤面に設置された入賞装置との係合状態を示す説明図であり、図５は、図４におけるＡ−Ａ線端面を示したものである。入賞装置１９の扉部２０は、入賞装置１９の略中央の２つの支軸２１，２１に枢着されており、それらの支軸２１，２１を中心として遊技盤面の前方に開くようになっている。また、ソレノイド１の芯部材３の先端に固着された作動部材７が、扉部２０の裏側に設けられた係合突起２２に係合した状態になっている。
【００１６】
上記の如く台板１２に取り付けられたソレノイド１は、通常時には通電されず、芯部材３が下方に位置しており、芯部材３の下端に固着された作動部材７も下方に位置している。このため入賞装置１９の扉部２０の裏側に一体的に設けられた係合突起２２が下方に押さえ付けられるため、扉部２０は、閉じた状態になっている。一方、大当たりとなった場合や特定の入賞口に遊技球が入賞した場合等には、ソレノイド１は通電された状態となり、コイル２内の芯部材３が電磁誘導によりバネ部材２３の付勢力に抗して上昇し、芯部材３の下端の作動部材７も上昇する。作動部材７が上昇すると、係合突起２２を下方に押さえ付けていた抑止力がなくなるため、入賞装置１９の扉部２０は、両端に垂設された扇状の補助部材２４，２４の重力によって、支軸２１，２１を中心に前開きする（図５参照）。
【００１７】
また、上記取付構造は、ソレノイド１をソレノイド取付部位１３の左サイドに取り付けることによって、扉部が小さい入賞装置を遊技盤面に設置する場合にも対応させることができる。
【００１８】
ソレノイド１をソレノイド取付部位１３の左サイドに取り付ける場合には、図６の如く、取付体８の台板当接部９の裏面をボス１４ｂ，１４ｂおよび連結部２５に当接させた状態で、ソレノイド１を台板１２に螺着する（すなわち、取付体８を含めてソレノイド１の表裏が反転した状態になるように螺着する）。なお、ソレノイド１の外装板４の芯挿通孔６が、外装板４の幅方向の中央に位置しているとともに、ソレノイド取付部位１３の左サイドのボス１４ｂ，１４ｂが、右サイドのボス１４ａ，１４ａの高さより、外装板当接部１０の幅と略同一な長さ分だけ低く形成されているので、ソレノイド１をソレノイド取付部位１３の右サイドに取り付けた場合であっても、ソレノイド１の外装板４の端面がソレノイド取付部位１３の表面に当接した状態でがたついたりしない。その上、台板１２の面に対して垂直な方向におけるソレノイド１の芯部材３の位置が、左サイドに取り付けた場合と同一に保たれる。ソレノイド１と遊技盤面に設置された扉部が小さい入賞装置との係合状態を図８に示す。
【００１９】
上記したように実施例のソレノイドの取付構造は、ソレノイド１の取付位置をソレノイド取付部位１３の右サイドあるいは左サイドに変更し、台板１２に当着する取付体８の台板当接部９の面を表裏反転させることのみで、遊技盤面に扉部２０の大きい入賞装置１９を設置する場合、および扉部の小さい入賞装置１９を設置する場合に容易に対応することができ、台板１２に取り付けられたソレノイド１は、いずれの入賞装置１９をも何の問題もなく作動させることができる。すなわち、実施例のソレノイドの取付構造によれば、遊技盤面に取り付けられる入賞装置１９が変更され扉部２０の大きさが変わる場合であっても、それに合わせて台板１２をわざわざ取り替えたり、作り変えたりする必要がない。
【００２０】
なお、取付体８は、台板１２の位置決めピン１６，１６がピン挿通孔１８，１８に挿通された状態でネジ挿通孔１７，１７部分が台板１２のボス１４ａ，１４ａ（あるいは１４ｂ，１４ｂ）部分と螺着されることによって台板１２に当着されるので、台板１２に取り付けられたソレノイド１ががたついたりしない。
【００２１】
また、ソレノイド１が、台板当接部９および外装板当接部１０が設けられた有する取付体８を、コイル２の外装板４の側面に螺着した構造であるため、外装板当接部１０の厚みを変更したり、外装板当接部１０と外装板４の側面との螺着部分に薄い板状部材等を介在させたりすることによって、ソレノイド１の芯部材３の位置を台板１２表面に沿って水平方向に微調整することができる。
【００２２】
なお、本発明のソレノイドの取付構造は、上記実施例の構成に何ら限定されるものではなく、取り付けられるソレノイドの形状、ソレノイド取付部位の形状、台板の構造、ボスや位置決めピンの構造等を、本発明の趣旨を逸脱しない範囲内で適宜変更することができる。
【００２３】
たとえば、ソレノイド取付部位の片側に設けられるボスの数は、２個に限定されず、１個であっても良いし、逆に３個あるいは４個であっても良い。また、位置決めピンは必ずしも必要ではなく、ボスと連設する必要もない。さらに、取付金具のネジ挿通孔にボス全体を挿通させた状態でボスのネジ孔を利用して取付金具を台板に螺着する取付構造とし、ボスに位置決めピンの役割をも果たさせるようにすることも可能である。
【００２４】
また、取付体は金属製のものに限定されず、プラスチック製のもの等も利用できる。
【００２５】
一方、台板当接部の表面あるいは裏面を台板のボスおよび連結部に当接させた状態で取付体を台板に螺着する際に、薄い板状物等を介在させることにより、ソレノイドの芯部材の位置を台板の面に対して垂直な方向に微調整することができる。
【００２６】
加えて、本発明の取付構造は、入賞装置を開閉するソレノイドを台板に取り付ける場合に限らず、他の用途のソレノイドを台板に取り付ける場合にも採用することができるし、台板以外の場所にソレノイドを取り付ける場合にも応用することができる。
【００２７】
また、上記実施例においては、取付体の台板当接部を台板のボスと螺着することによってソレノイドが台板に取り付けられているが、取付体の台板当接部と台板とを当着する方法は、ネジ部材を利用した螺着に限定されるものではなく、たとえば、予め台板に取付ピンを一体的に突設しておき、ソレノイドのネジ挿通孔に取付ピンを挿通させた状態でその取付ピンの頭部を熱により溶融させる方法、釘やリベット等により台板当接部を台板に固定する方法、接着剤等により台板当接部を台板に貼着する方法等の別の当着方法を利用することも可能である。なお、取付ピンを溶融させる方法を用いる場合には、当着状態が緩んだりしないというメリットがある。
【００２８】
さらに、上記実施例では、ソレノイドの作動部材が上昇して係合突起を下方に押さえ付けていた抑止力がなくなると補助部材の重力によって扉部が開放する入賞装置について示したが、入賞装置はかかる機構を有するものに限定されるものではなく、たとえば、構造ソレノイドの作動部材が上昇すると係合突起が引き上げられて扉部が開成するもの等であっても良い。
【００２９】
【発明の効果】
本発明のソレノイドの取付構造の内、第１の発明によれば、ソレノイドの取付位置を台板の第１の位置あるいは第２の位置に変更し、台板に当着する台板当接部の面を表裏反転させることのみで、遊技盤面に設置される入賞装置の種類が変わって扉の大きさが変化する場合であっても容易に対応することができ、台板をわざわざ取り替えたり、作り変えたりする必要がない。したがって、パチンコ機の設計変更時において従来は廃棄されていた台板、取付部材等を、廃棄することなくそのまま継続使用することができる。
【００３０】
第２の発明によれば、第１の固着機構およびその第１の固着機構と線対称に配置された第２の固着機構を利用することにより、きわめて容易に、台板当接部の面を表裏反転させて台板に当着することができるので、第１の発明の効果が一層保証されたものとなる。
【００３１】
第３の発明によれば、ソレノイドが、台板当接部の位置決めピン用孔に台板の位置決めピンを挿通させた状態で、第１の位置あるいは第２の位置に螺着されることによって取り付けられるので、取り付けられたソレノイドが的確な位置に保持され、決してがたついたりしない。
【００３２】
第４の発明によれば、外装体当接部の厚みを変更したり、外装体の平坦部分と外装体当接部との当着部分に薄い板状部材等を介在させたりすることによって、ソレノイドの取付位置を台板表面に沿って水平方向に微調整することができる。
【図面の簡単な説明】
【図１】ソレノイドを分解した状態を示す説明図である。
【図２】台板の一部を示す説明図である。
【図３】ソレノイドが台板に取り付けられた状態を示す説明図である。
【図４】ソレノイドと入賞装置との係合状態を示す説明図である。
【図５】図４におけるＡ−Ａ線端面を示す説明図である。
【図６】ソレノイドが台板に取り付けられた状態を示す説明図である。
【図７】ソレノイドと入賞装置との係合状態を示す説明図である。
【図８】従来のソレノイドの取付構造を示す説明図である。
【符号の説明】
１・・ソレノイド、２・・コイル、３・・芯部材、４・・外装板、５・・ネジ孔、６・・芯挿通孔、７・・作動部材、８・・取付体、９・・台板当接部、１０・・ソレノイド当接部、１１・・脱落防止部、１２・・台板、１３・・ソレノイド取付部位、１４・・ボス、１５・・ネジ孔、１６・・位置決めピン、１７・・ネジ挿通孔、１８・・ピン挿通孔、１９・・入賞装置、２０・・扉部、２１・・支軸、２２・・係合突起、２３・・バネ部材、２４・・補助部材、２５・・連結部、３１・・ソレノイド、３２・・外装板、３３・・取付体、３４・・ソレノイド当接部、３５・・台板当接部、３６・・台板、３７・・ソレノイド取付部位、３８・・芯部材、３９・・作動部材。
【図１】
0003846932.tif 000002
【図２】
0003846932.tif 000003
【図３】
0003846932.tif 000004
【図４】
0003846932.tif 000005
【図５】
0003846932.tif 000006
【図６】
0003846932.tif 000007
【図７】
0003846932.tif 000008
【図８】
0003846932.tif 000009